(57)【特許請求の範囲】
【請求項１】
車体側のロアレールに対してスライド自在のアッパレールに固定された固定プレートと、
シートを搭載し、回転機構によって前記固定プレートに対し回転自在に係合した可動プレートと、を設け、
前記回転機構は、前記固定プレートに固定したガイドプレートと、このガイドプレートに回転可能に取り付けられたターンプレートと、該ターンプレートに設けた長孔内に連動ピンを挿入することで回転可能に連結されたターンリンクと、前記固定プレートにシートの回転禁止ゾーン内において前記ガイドプレートにスライド不可能に、シートの回転ゾーン内において前記ターンリンクの回転運動を直線運動に変換し前記ガイドプレートにスライド可能に取り付けられたインターロックプレートと、を有する車両用シートにおいて、
前記ターンプレートの回転によって前記連動ピンに加わる力の方向の内、前記連動ピンが前記長孔の先端部から後端方向への移動を容易にする案内手段を設けてなる車両用回転シート。
【発明の詳細な説明】
【技術分野】
【０００１】
本発明はスライド装置付自動車用回転シートに関する。
【背景技術】
【０００２】
ワゴン車用シートには、シートの前後位置を調整するスライド装置と、シートの向きを前向き、後向きに変更できる回転装置を備えたものがある。
【０００３】
以上のシートは前席等に干渉しないように、所定の前後位置でないと回転しないように構成されている（例えば、特許文献１）。
【０００４】
【特許文献１】実開昭５９−２２０２０号公報
【０００５】
これは回転機構のロックを解除する回転レバーの操作の可、又は不可という機構であり、シートの前、後位置によって回転レバーを操作でき、その操作中はシートのスライドはロックするようにしたものである。
【発明の開示】
【発明が解決しようとする課題】
【０００６】
従って、以上の従来品はシートの回転操作中にシートの前後位置を調整できず、また回転レバーの配設位置がスライド装置の近傍に限定される課題があった。
【０００７】
そこで、本願出願人はシートの回転操作中に同時にシートの前後位置も調整でき、シートの回転機構のロック解除用操作部材の配設位置が制限されないようにしたインターロック装置を提案した。
【０００８】
このインターロック装置付回転シートは、車体側のロアレールに対してスライド自在のアッパレールに固定された固定プレートと、
シートを搭載し、回転機構によって前記固定プレートに対し回転自在に係合した可動プレートと、を設け、
前記回転機構は、前記固定プレートに固定したガイドプレートと、このガイドプレートに回転可能に取り付けられたターンプレートと、該ターンプレートに設けた長孔内に連動ピンを挿入することで回転可能に連結されたターンリンクと、前記固定プレートにシートの回転禁止ゾーン内において前記ガイドプレートにスライド不可能に、シートの回転ゾーン内において前記ターンリンクの回転運動を直線運動に変換し前記ガイドプレートにスライド可能に取り付けられたインターロックプレートと、を有している。
【０００９】
ところで、例えば、ターンプレートに対してターンリンクとの入力方向変換を９０度近い角度設定をすると、ターンプレートが回転時にオーバーストロックした際、連動ピンが長孔の先端部に突き当たるまで移動し、その位置から摩擦力によって戻りづらい場合があり、入力の方向転換が行い難く、ターンプレート、ターンリンクの回転性が損なわれることがあった。
【００１０】
そこで、本発明は斯様な回転機構を構成するターンプレート、ターンリンクの回転性を向上することを目的とする。
【課題を解決するための手段】
【００１１】
以上の目的を達成するための本発明に係る車両用回転シートは、前記ターンプレートの回転によって前記連動ピンに加わる力の方向の内、前記連動ピンが前記長孔の先端部から後端方向への移動を容易にする案内手段を設けてなる構成である。
【００１２】
そして、前記ターンプレートの長孔に設けた案内手段は、長孔の先端部における孔縁をテーパ状に形成するか、或いは長孔の先端部にテーパ状になるように別部材を固着して形成してもよい。
【発明の効果】
【００１３】
本発明によれば、ターンプレートの長孔に案内手段を設けたので、ターンリンクの連動ピンに加わる力が長孔の先端部から後端部方向に作用するので、連動ピンの長孔孔縁に対する摩擦力が低くなり、連動ピンが長孔内に動き易くなる。そのため、ターンプレートとターンリンクの相互の回転が良好になる。
【発明を実施するための最良の形態】
【００１４】
以下、本発明の一実施例を図面に基づいて説明する。
図面は本願出願人が提案したインターロック装置を備えた自動車回転用シートＳに応用した回転機構を示し、シートＳは内側方向に１８０度回転機構によって回転し、その向きが前向き、後向きに変更できるように構成されている。
【００１５】
そして、このシートＳは図１に示すように、車体側に固定されるロアレール２１と、このロアレール２１にスライド自在に係合するアッパーレール２０とからなる左右一体のロングスライドレール２、２から構成されるスライド装置によって前後位置が調整できる構造である。
【００１６】
以上のシートＳは前席側などに干渉される前側位置を回転禁止ゾーンＦとし、このゾーンＦ内ではシートＳを回転できないように、また、それ以外の位置である回転可能ゾーンＲ内において回転できるように各々構成されている。
【００１７】
また、後述する構造のように構成されているため、回転ゾーンＲ内において、シートの回転中にシートが前後にスライドでき、回転禁止ゾーンＦにスライドするとシートの回転が規制されるように構成されている。
【００１８】
なお、図１において、ＦＲはシートの前方を示し、３４は回転禁止ゾーンＦ内に対応するロアレール２１の底部に設けたステッププレートを示す。
【００１９】
以上のスライド装置は従来周知の構造であり、その説明は省略する。
そして、後述する、回転機構のロックを解除すると、それに連動してスライド装置のロックも解除するようにケーブルで連結されているが、スライド装置のロックを解除しても回転機構のロックは解除されないようになっている。
【００２０】
図２、図３は本発明に係るインターロック装置を有する回転機構を示し、左右のアッパーレール２０、２０上に締結した台座プレート１１１、１１１に、回転機構を構成する円盤状の固定プレート１１が載置、固定され、この固定プレート１１にシートＳを搭載するドーナツ状の可動プレート１０が回転自在に係合している。
【００２１】
以上の可動プレート１０の内縁端における前、後には、ロックピン１０１、１０２が設けてある。一方、固定プレート１１を固定した一方の台座プレート１１１にはガイドプレート１１２が固定プレート１１の略中央よりステッププレート３４を有するスライドレール２のアッパーレール２０方向に延設されている。
【００２２】
このガイドプレート１１２に、インターロックプレート３０を図2に示す方向にスライド自在に装着され、このインターロックプレート３０を直線運動に変換してスライドさせるターンプレート３２、ターンリンク３３もガイドプレート１１２に、ピン３２Ａ、３３Ａで回転自在に枢着されている。
【００２３】
以上のターンプレート３２には周縁に、前記ロックピン１０１、１０２を係合する係合凹部３２１、３２２が設けてあり、バネ３２Ｂによって後述する中立方向に付勢されている。
そして、この係合凹部３２１、３２２の反対側には長孔３２３が開孔され、この長孔３２３内に、ターンリンク３３の連動ピン３３０が挿入されている。
【００２４】
以上のターンプレート３２に設けた長孔３２３は図4に示すようにターンプレート３２の回転中心であるピン３２Ａ方向に向けて開孔されている。
【００２５】
そして、この長孔３２３は、先端部に連動ピン３３０が先端部から後端部方向への移動を容易にする案内手段３２３Ａが設けてある。図中３２３Ｂは長孔３２３の後端部側の孔縁を示す。
【００２６】
図5に示す案内手段３２３Ａは、長孔３２３の先端部の孔縁をテーパ状に形成したものである。しかし、ターンプレート３２に、長孔３２３の先端部孔縁がテーパ状になるように、別のプレートを溶接して形成しても良い。
【００２７】
なお、ターンリンク３３とターンプレート３２とを入力方向変換が９０度近い角度設定に配置し、ターンプレート３２の長孔３２３の先端部における孔縁を円弧状に形成すると、例えば、ターンプレート３２の回転時にオーバーストロークすると連動ピン３３０が長孔３２３の先端部に突き当たるまで移動し摩擦力によって連動ピン３３０が長孔３２３の後端部方向に戻りづらくなり回転性が損なわれてしまう。
【００２８】
そこで、前述の如く、ターンプレート３２の連動ピン３３０が係合する先端部に、図5に示すように、案内手段３２３Ａを設けることにより、例えば、図5に示すように、ターンプレート３２の回転（オーバーストローク）した際、連動ピン３３０が長孔３２３の先端部に移動し、前記線Ａと連動ピン３３０とターンプレート３２の回転中心を結ぶ線Ｂの角度が９０度近づいても、方向転換部３２３Ａにより連動ピン３３０の長孔３２３孔縁に対する当接角度が変換される。
そのため、矢印方向である連動ピン３３０の戻り方向の分力が大になるため、連動ピン３３０の長孔３２３の後端部方向への戻り方向の移動力が増大すると共に摩擦力が減少する。その結果、前記線Ａに対して離れる方向の力が増大するのでターンプレート３２に対するターンリンク３３の回転性を向上できる。
【００２９】
なお、以上の案内手段３２３Ａを形成する斜面３２３Ａ−１の角度は20−40度程度にするのが好ましい。
【００３０】
案内手段３２３Ａを形成するテーパ状の一方の斜面３２３Ａ−１は図4におけるターンプレート３２が逆時計方向に回転する際に、また、他方の斜面３２３Ａ−２はターンプレート３２が時計方向に回転する際に作用する。
【００３１】
なお、以上のターンリンク３３の回転中心であるピン３３Ａ側には別の長孔３３１が開孔され、この長孔３３１内にインターロックプレート３０の基端部に設けたピン３０２がスライド自在に係合している。
【００３２】
また、前記ガイドプレート１１２にはインターロックプレート３０を図2矢印方向に的確にスライドさせるため、ガイド長孔１１２Ａ、１１２Ｂ、１１１Ｃを設け、この各ガイド長孔１１２Ａ・・内にインターロックプレート３０側に設けたガイドピン３０３、３０４、３０２が挿通している。
【００３３】
以上のインターロックプレート３０はそのスライド量が適正になるように、ターンリンク３３をインターロックプレート３０とターンプレート３２との間に配設している。ターンリンク３３の回転中心であるピン３３Ａとインターロックプレート３０のピン３０２との間の長さＬ１と、ピン３３Ａと連動ピン３３０との間の長さＬ２による回転比によってターンプレート３２の大きな回転の動きをインターロックプレート３０の小さなスライドに調整すると共に、ターンプレート３２に対するロックピン１０１、１０２の係脱を容易にしている。
【００３４】
以上のインターロックプレート３０の先端には下方に垂直状に延設したストッパ部３０１が設けてある。
【００３５】
このストッパ部３０１の下方のアッパーレール２０の側壁には、前記ストッパプレート３１が前後方向に揺動自在に枢着されている。このストッパプレート３１はバネ３１Ｂによってアッパーレール２０の上面より上方に突出する上部がやや倒れるように、また、シートを回転禁止ゾーンＦに前進させた際に、下端部が前記ステッププレート３４に突き当たり上部が起立するように配設されている。
【００３６】
なお、図6はシートＳの前向き状態、図7はシートＳを図6の状態から180度回転して後ろ向きにした状態、図8はシートＳの回転途中の状態を各々示す。
【図面の簡単な説明】
【００３７】
【図１】本発明に係る回転シートの斜視図である。
【図２】本発明回転シートの部分切欠斜視図である。
【図３】本発明回転シートの平面図である。
【図４】ターンプレートとターンリンクとの関係を示す平面図である。
【図５】ターンプレートの長孔とターンリンクと連動ピンの関係を示す平面図である。
【図６】シートの前向き状態の平面図である。
【図７】シートの後向き状態の平面図である。
【図８】シートの回転中の平面図である
【符号の説明】
【００３８】
３０…インターロックプレート、３２…ターンプレート、３３…ターンリンク、３２３…ターンプレートの長孔、３２３Ａ…ターンプレートの長孔に設けた案内手段、３３０…ターンリンクの設けた連動ピン
【図１】
0004515417.tif 000002
【図２】
0004515417.tif 000003
【図３】
0004515417.tif 000004
【図４】
0004515417.tif 000005
【図５】
0004515417.tif 000006
【図６】
0004515417.tif 000007
【図７】
0004515417.tif 000008
【図８】
0004515417.tif 000009